(57)【要約】【課題】安全性や生産性の点で優れる加飾パネルを提供することである。【解決手段】矩形状加飾パネル本体の四周側面にアルミニウム枠材を取り付けると共に前記矩形状パネル本体の四つのコーナー部にコーナー部接続部材を取り付けた加飾パネルにおいて、前記加飾パネル本体はそのコーナー部の側面略中央部に溝部を備え、前記コーナー部接続部材は横断面正方形の一つの角部をアール状とした棒状体の前記アール状とした角部に対して対角線上にある角部を前記棒状体の長手方向の両端部を残して横断面正方形の棒状に切欠いた前記矩形状加飾パネル本体のコーナー部と係合する横断面直角三角形状の棒状切欠部と、前記棒状切欠部の長手方向の略中央部に長手方向と直交する方向に前記棒状切欠部から突出する前記矩形状加飾パネル本体の前記溝部と係合する突出部とを備えたことを特徴とする加飾パネル。【選択図】        図１
2005002716.tif 000002
【特許請求の範囲】
【請求項１】
矩形状加飾パネル本体の四周側面にアルミニウム枠材を取り付けると共に前記矩形状パネル本体の四つのコーナー部に、隣り合うアルミニウム枠材の端部と当接し、隣り合うアルミニウム枠材の表出側面と略面一となるようなコーナー部接続部材を取り付けた加飾パネルにおいて、前記矩形状加飾パネル本体はそのコーナー部の側面略中央部に溝部を備え、前記コーナー部接続部材は横断面正方形の一つの角部をアール状とした棒状体の前記アール状とした角部に対して対角線上にある角部を前記棒状体の長手方向の両端部を残して横断面正方形の棒状に切欠いた前記矩形状加飾パネル本体のコーナー部と係合する横断面直角三角形状の棒状切欠部と、前記棒状切欠部の長手方向の略中央部に長手方向と直交する方向に前記棒状切欠部から突出する前記矩形状加飾パネル本体の前記溝部と係合する突出部とを備えたことを特徴とする加飾パネル。
【請求項２】
前記溝部は前記矩形状加飾パネル本体の四周側面に亘って設けられ、前記アルミニウム枠材は、その前記矩形状加飾パネル本体の前記側面と当接する面に前記溝部と嵌合する嵌合突出部を備えていることを特徴とする請求項１記載の加飾パネル。
【請求項３】
前記コーナー部接続部材の前記突出部が前記棒状切欠部の直角部にその直角部が一致する直角三角形状の板状突出部であることを特徴とする請求項１記載の加飾パネル。
【請求項４】
前記コーナー部接続部材の前記突出部が前記棒状切欠部の直角部にその直角部が一致する略Ｌ字形状の棒状突出部であることを特徴とする請求項１記載の加飾パネル。
【発明の詳細な説明】
【０００１】
【発明の属する技術分野】
本発明は、ドアや収納扉等に用いられる加飾パネルに関し、さらに詳しくは、木製、アルミニウム製、あるいは、プラスチック製等の加飾パネル本体の四周側面にアルミニウム枠材を配した加飾パネルに関するものである。
【０００２】
【従来の技術】
従来、意匠性において優れるなどの理由から加飾パネル本体の四周側面にアルミニウム押出形材からなる縦枠材と横枠材とを切断面同士を接合してビス等の固定手段で固定した加飾パネルが窓や引戸等の種々の用途に用いられている。しかしながら、このような加飾パネルは、角部が鋭角であるために、使用時等において、この鋭角な角部で怪我をする虞があり、一般的には角部を研磨仕上げしたものが用いられているが、研磨加工をする分だけコストアップになるといった問題や研磨加工に時間を要する分だけ生産性が悪いといった問題を抱えていた。そこで、このような問題を解決するための種々の提案がなされている（たとえば、特許文献１参照）が、本発明者は上記問題を解決する新規な加飾パネルを提案するものである。
【０００３】
【特許文献１】
特開平７−２５２９８０号公報
【０００４】
【発明が解決しようとする課題】
そこで本発明は、使用時等において、鋭角な角部で怪我をすることなく安全であると共に研磨仕上げも不要であり、安全性や生産性の点で優れる加飾パネルを提供することである。
【０００５】
【課題を解決するための手段】
本発明者等は、上記課題を達成するために、請求項１記載の本発明は、矩形状加飾パネル本体の四周側面にアルミニウム枠材を取り付けると共に前記矩形状パネル本体の四つのコーナー部に、隣り合うアルミニウム枠材の端部と当接し、隣り合うアルミニウム枠材の表出側面と略面一となるようなコーナー部接続部材を取り付けた加飾パネルにおいて、前記矩形状加飾パネル本体はそのコーナー部の側面略中央部に溝部を備え、前記コーナー部接続部材は横断面正方形の一つの角部をアール状とした棒状体の前記アール状とした角部に対して対角線上にある角部を前記棒状体の長手方向の両端部を残して横断面正方形の棒状に切欠いた前記矩形状加飾パネル本体のコーナー部と係合する横断面直角三角形状の棒状切欠部と、前記棒状切欠部の長手方向の略中央部に長手方向と直交する方向に前記棒状切欠部から突出する前記矩形状加飾パネル本体の前記溝部と係合する突出部とを備えたことを特徴とするものである。
【０００６】
また、請求項２記載の本発明は、請求項１記載の加飾パネルにおいて、前記溝部は前記矩形状加飾パネル本体の四周側面に亘って設けられ、前記アルミニウム枠材は、その前記矩形状加飾パネル本体の前記側面と当接する面に前記溝部と嵌合する嵌合突出部を備えていることを特徴とするものである。
【０００７】
また、請求項３記載の本発明は、請求項１記載の加飾パネルにおいて、前記コーナー部接続部材の前記突出部が前記棒状切欠部の直角部にその直角部が一致する直角三角形状の板状突出部であることを特徴とするものである。
【０００８】
また、請求項４記載の本発明は、請求項１記載の加飾パネルにおいて、前記コーナー部接続部材の前記突出部が前記棒状切欠部の直角部にその直角部が一致する略Ｌ字形状の棒状突出部であることを特徴とするものである。
【０００９】
【発明の実施の形態】
上記の本発明について、図面等を用いて以下に詳述する。
図１は本発明にかかる加飾パネルの一実施例を示す正面図、図２は本発明にかかる加飾パネルに用いるコーナー部接続部材の一実施例を示す斜視図、図３は図２に示したコーナー部接続部材を使用する加飾パネル本体の一実施例を示す要部斜視図、図４は図２に示したコーナー部接続部材を使用する加飾パネル本体の他の実施例を示す要部斜視図、図５はアルミニウム枠材の一実施例を示す要部斜視図、図６はアルミニウム枠材の他の実施例を示す要部斜視図、図７は本発明にかかる加飾パネルに用いるコーナー部接続部材の他の実施例を示す斜視図であり、図中の１は加飾パネル、２，２’，２”は加飾パネル本体、３，３’，３”はアルミニウム枠材、４，４’はコーナー部接続部材、２１，２１’は溝部、３１は嵌合突出部、４１は棒状切欠部、４２，４２’は突出部をそれぞれ示す。
【００１０】
図１は本発明にかかる加飾パネルの一実施例を示す正面図であって、加飾パネル１は、矩形状の加飾パネル本体２と、該加飾パネル本体２の四周側面に取り付けられたアルミニウム枠材３と、四つのコーナー部において隣り合う前記アルミニウム枠材３の端部と当接し、隣り合う前記アルミニウム枠材３の表出側面と略面一となるように取り付けられたコーナー部接続部材４とから構成されたものである。
【００１１】
図２は本発明にかかる加飾パネルに用いるコーナー部接続部材の一実施例を示す斜視図であって、コーナー部接続部材４は横断面正方形の一つの角部をアール状とした棒状体の前記アール状とした角部に対して対角線上にある角部を前記棒状体の長手方向の両端部を残して横断面正方形の棒状に切欠いた横断面直角二等辺三角形状の棒状切欠部４１と、前記棒状切欠部４１の長手方向の略中央部に長手方向と直交する方向に前記棒状切欠部４１から突出する前記棒状切欠部４１の直角部にその直角部が一致する直角二等辺三角形状の板状突出部４２とを備えているものである。
【００１２】
前記コーナー部接続部材４は、たとえば、図３に示すようなコーナー部の側面略中央部にスリット状の溝部２１を形成した加飾パネル本体２’の前記溝部２１に前記コーナー部接続部材４の板状突出部４２を係入すると共に、前記コーナー部接続部材４の前記棒状切欠部４２を加飾パネル本体２のコーナー部に係合することにより一時的に加飾パネル本体２’のコーナー部に載置する。この状態で、たとえば、図５に示すような断面略コの字状のアルミニウム押出形材からなるアルミニウム枠材３’を加飾パネル本体２’の四周側面に接着剤を介してその端部が前記コーナーＶ接続部材４と当接するように接着固定することにより図１に示すような加飾パネル１とすることができる。
【００１３】
また、前記コーナー部接続部材４は、たとえば、図４に示すような側面の略中央部に四周側面に亘ってスリット状の溝部２１’を形成した加飾パネル本体２”の前記溝部２１’のコーナー部において、前記コーナー部接続部材４の板状突出部４２を係入すると共に、前記コーナー部接続部材４の前記棒状切欠部４２を加飾パネル本体２のコーナー部に係合することにより一時的に加飾パネル本体２”のコーナー部に載置する。この状態で、たとえば、図６に示すような断面略コの字状の略中央部に長手方向の両端部を除いて嵌合突出部３１を突出形成したアルミニウム押出形材からなるアルミニウム枠材３”（図６上、長手方向の一方の端部のみ示す）をその端部が前記コーナー部接続部材４と当接するように加飾パネル本体２”の前記溝部２１’に前記嵌合突出部３１を嵌合させて前記加飾パネル本体２”に嵌合固定することにより図１に示すような加飾パネル１とすることができる。
【００１４】
上記のように構成した加飾パネル１は、アルミニウム枠材の端部がコーナー部接続部材でガードされるために使用時等において、アルミニウム枠材の角部で怪我をすることなく安全であると共に研磨仕上げも不要であり、安全性や生産性の点で優れる加飾パネルとすることができる。なお、前記コーナー部接続部材４は、図２の符号Ｘで示した寸法が図５、６のアルミニウム枠材３’および３”の符号Ｙで示した寸法と略同じか、ないしは、幅広となるように、また、前記コーナー部接続部材４は、図２の符号Ｔで示した寸法が図５、６のアルミニウム枠材３’および３”の符号Ｓで示した寸法と略同じか、ないしは、幅広となるように構成されるなど、要するに前記アルミニウム枠材３’、３”の端部が前記コーナー部接続部材４でガードされ、前記アルミニウム枠材３’、３”の端部で怪我をすることがないように構成されるものである。
【００１５】
また、前記コーナー部接続部材４は、今まで説明してきた形状に限るものではなく、たとえば、板状突出部４２に代えて図７に示すような略Ｌ字形状の棒状突出部４２’を備えたコーナー部接続部材４’であってもよいし、また、図示はしないが、たとえば，断面円形状や断面角状の棒状突出部を備えたコーナー部接続部材であってもよいものである。当然のことながら、加飾パネル本体２のコーナー部の側面略中央部に設ける溝部の形状についても、前記コーナー部接続部材４に設ける突出部の形状により適宜な形状の溝部を採ることができる。なお、前記コーナー部接続部材４、４’、あるいは、前記アルミニウム枠材３”は、接着剤を介して前記加飾パネル本体２’２”に設けてもよいものである。
【００１６】
前記コーナー部接続部材４、４’の材質としては、加工性を考慮すると合成樹脂を用いて射出形成法で形成するのが適当であり、これに用いる合成樹脂としては、たとえば、ウレタン樹脂やＡＢＳ樹脂等を挙げることができる。また、必要に応じて、アルミニウム枠材３、３’、３”の色と合致するように着色してもよいものである。
【００１７】
また、前記加飾パネル本体は、基材として木製、プラスチック製、アルミニウム製を用いることができ、表出面を塗装したもの、あるいは、化粧シートを貼着したものなどを適宜用いることができる。
【００１８】
【発明の効果】
本発明の加飾パネルは、縷々説明したように、加飾パネル本体のコーナー部にコーナー部接続部材を取付けると共に四周側面にアルミニウム枠材を取付けることにより加飾パネルとすることができるために生産性に優れるという効果を奏し、また、アルミニウム枠材の端部がコーナー部接続部材でガードされるために使用時等において、アルミニウム枠材の角部で怪我をすることなく安全であるという効果を奏するものである。
【図面の簡単な説明】
【図１】本発明にかかる加飾パネルの一実施例を示す正面図である。
【図２】本発明にかかる加飾パネルに用いるコーナー部接続部材の一実施例を示す斜視図である。
【図３】図２に示したコーナー部接続部材を使用する加飾パネル本体の一実施例を示す要部斜視図である。
【図４】図２に示したコーナー部接続部材を使用する加飾パネル本体の他の実施例を示す要部斜視図である。
【図５】アルミニウム枠材の一実施例を示す要部斜視図である。
【図６】アルミニウム枠材の他の実施例を示す要部斜視図である。
【図７】本発明にかかる加飾パネルに用いるコーナー部接続部材の他の実施例を示す斜視図である。
【符号の説明】
１                            加飾パネル
２，２’，２”                加飾パネル本体
３，３’，３”                アルミニウム枠材
４，４’                      コーナー部接続部材
２１，２１’                  溝部
３１                          嵌合突出部
４１                          棒状切欠部
４２，４２’                  突出部
【図１】
2005002716.tif 000003
【図２】
2005002716.tif 000004
【図３】
2005002716.tif 000005
【図４】
2005002716.tif 000006
【図５】
2005002716.tif 000007
【図６】
2005002716.tif 000008
【図７】
2005002716.tif 000009